(57)【特許請求の範囲】
【請求項１】
廃水処理装置における上向流式傾斜板沈殿池において、傾斜板（２）と、傾斜板上部の一端側側面に直角に隣接設置されて傾斜板により固形物が除去された水を取水する上澄水トラフ（３）と、傾斜板の付着物を原水の流速で除去した傾斜板間の洗浄排水が流出する排水トラフ（１）と排水弁（８）とを有し、該排水トラフ（１）は傾斜板の他端側側面に直角に隣接し、排水トラフ（１）の越流面が傾斜板の上端部より下部に設置されている事を特徴とする上向流式傾斜板沈殿池。
【請求項２】
請求項１の上向流式傾斜板沈殿池において、水の噴出方向が排水トラフの方向へ向いた水ノズルを傾斜板の間の水面上に付加した、上向流式傾斜板沈殿池。
【発明の詳細な説明】
【０００１】
【発明の属する技術】
本発明は、廃水処理装置における上向流式傾斜板装置である。発明の詳細を図１に示す。
上向流式傾斜板装置は、沈殿池（７）、排水トラフ（１）、傾斜板（２）、上澄水トラフ（３）、集水ノズル（４）、水ノズル（５）、排水弁（８）、給水弁（９）、により構成される。
図１に示す通り、傾斜板（２）は、沈殿池（７）の中に設置される。傾斜板（２）の上部は、水面Ｌ−１より上部に設置する。傾斜板（２）の処理水を集水するために上澄水トラフ（３）がある。上澄水トラフ（３）内の水面Ｌ−３は、水面Ｌ−１より下部にある。又、上澄水トラフ（３）には集水ノズル（４）が付いている。
集水ノズル（４）の上澄水トラフ（３）への取り付け位置は、横、底、両側面、とある。又、取り付けレベルもＬ−３の上部、下部のケースがある。
原水は、傾斜板（２）の下部より流入し傾斜板（２）の間を上方向へ流出する。原水中の固形物は、傾斜板（２）の表面に沈殿する。傾斜板（２）の表面に沈殿した固形物は傾斜板（２）の表面をずり落ち、沈殿池の底へ沈殿する。傾斜板（２）の間を通過した処理水は上澄水トラフ（３）に設置された集水ノズル（４）より上澄水トラフ（３）内へ流出し、沈殿池（７）外へ流出する。
排水トラフ（１）は傾斜板（２）の直角方向の側面に隣接し設置され、傾斜板（２）の間の処理水を越流させ流入させる構造とする。図１は側面に排水トラフ（１）を設置した例を示している。排水トラフ（１）の排水を沈殿池（７）の外へ排水する配管の途中に排水弁（８）を設置する。
排水弁（８）を開くと排水トラフ（１）内の水位のレベルＬ−２がレベルＬ−１より低下し、傾斜板を通過した原水の多くは傾斜板の洗浄水となり、処理水の多くは、上澄水トラフ（３）から排水トラフ（１）へ切り替わる。排水トラフ（１）への洗浄水（排水水量）は集水ノズル（４）の通過量より多い。その為、急に傾斜板（２）間の流速が増大し傾斜板（２）に付着した固形物が剥離する。この事により傾斜板（２）に付着している固形物は、剥離し洗浄水と共に排水トラフ（１）へ除去される。
傾斜板（２）の間の水面に浮遊している浮遊物（６）は、排水トラフ（１）に設置した排水弁（８）を開けることにより、傾斜板と直角方向の排水トラフ（１）方向への流れが発生するので、処理水と共に排水トラフ（１）に排出、除去できる。この時、排水トラフ（１）越流部の上面は傾斜板（２）の上部より下にあるが、
排水弁（８）の型式は、処理水の流出を開閉出来れば良く、ゲート、サイホン装置でも良い。
排水トラフ（１）排水量は越流部の上部とレベルＬ−１よりの深さにより決定される。通常、この排水トラフ（１）への排水量を越流負荷と言う。固形物の除去に必要な水量は、排水の種類により異なる。排水の種類が下水の場合、必要な越流負荷は５００ｍ３／ｍ日以上である。
傾斜板（２）の間の水面上、出来るだけ排水トラフと離れた反対方向に水ノズル（４）を設置する。
給水弁（９）を開き、水ノズル（４）より圧力水を排水トラフ（１）の方向に噴射する事により、傾斜板（２）間の表面水は排水トラフ（１）への流れを生じ、浮遊物（６）が排水トラフ（１）へ流出する効果を促進させる。尚、水ノズル（５）への給水は給水弁（９）を開閉して行う。給水弁の開閉は排水弁（８）の開閉に連動させる。
尚、上澄水トラフ（３）と排水トラフ（１）は必ずしも沈殿池（７）と一体にする必要はない。又、排水トラフ（１）の上部位置は、水面Ｌ−１が傾斜板（２）の上部にある場合、傾斜板（２）の上部よりより上部にある。そして、排水トラフ（１）の上部位置は、可変式としても良い。
沈殿池（７）の池幅が広い場合は、傾斜板（２）上部の上澄水トラフ（３）と排水トラフ（１）は交互に複数設置して対応する。
【０００２】
【従来の技術】
従来の技術を図２に示す。従来の技術は排水トラフ（１）が無いので傾斜板（２）の間に浮遊した浮遊物（６）や、傾斜板（２）に付着した固形物は、沈殿池（７）を空にし、傾斜板（２）を圧力水等で洗浄し、固形物を除去する必要があり、維持管理が困難であり又、多くの時間がかかった。
【０００３】
【発明が解決しようとする課題】
従来の技術では、傾斜板（２）の表面に付着した固形物の除去、又、傾斜板（２）の間に浮遊した浮遊物（６）の除去を行う時、沈殿池を空にし、洗浄していた。
本発明は、排水トラフ（１）、排水弁（８）を上澄水トラフ（３）とは別に設置し、処理水の流出先を排水弁（８）を開とすることにより、処理水トラフ（３）から排水トラフ（１）へ切り替えるえることにある。
排水弁（８）を開とすると、処理水は排水トラフ（１）へ流出する。この時、処理水量は増大する。その結果、傾斜板（２）の間を通過する処理水の流速を急に上げることが出来る。傾斜板（２）の間の流速を急に上げることにより傾斜板（２）に付着した固形物を傾斜板（２）より剥離させ、傾斜板（２）の付着汚泥が除去出来ることになる。又、傾斜板（２）間の表面水は排水トラフ（１）に引かれる。この事により浮遊物（６）を排水トラフ（１）へ排出除去出来る。又、水ノズル（５）を設置することにより、浮遊物（６）の破砕ができ、浮遊物（６）の流出効果が促進できる。
以上により沈殿池を空にせず傾斜板（２）の洗浄が出来る
【０００４】
【課題を解決するための手段】
本発明は、上向流傾斜板装置に排水トラフ（１）と水ノズル（５）を設置する事にある。
【０００５】
【発明の実施形態】
次に本発明の実施形態について説明する
第Ｉ例
図１にその実施したときの平面、及びＣ−Ｃ断面の状態を示す。図３は、図１のＡ−Ａ断面、Ｂ−Ｂ断面、を示す。
第２例
浮遊物（６）の排出促進用に水ノズル（５）を設置した場合の実施例の平面図を図４に示す。
【０００６】
【発明の効果】
上向流傾斜板装置に排水トラフ（１）、排水弁（８）、水ノズル（５）、給水弁（９）を設置することにより、傾斜板（２）の表面に付着した固形物の除去、及び、傾斜板（２）の間に浮遊した浮遊物（６）の除去が排水弁（８）の開閉だけで可能になり、沈殿池（７）を空にして、掃除する必要が無くなる。
【図面の簡単な説明】
【図１】本発明の実施形態…上向流傾斜板装置の平面図及びＣ−Ｃ断面図
【図２】従来の技術
【図３】本発明の実施形態…上向流傾斜板装置の図１における、Ａ−Ａ断面図、Ｂ−Ｂ断面図
【図４】水ノズルを設置した場合の実施形態…平面図及びＣ−Ｃ断面図
【符号の説明】
（１）は排水トラフ  （２）は傾斜板    （３）は上澄水トラフ
（４）は集水ノズル  （５）は水ノズル  （６）は浮遊物
（７）は沈殿池      （８）は排水弁    （９）は給水弁
【図１】
0004747331.tif 000002
【図２】
0004747331.tif 000003
【図３】
0004747331.tif 000004
【図４】
0004747331.tif 000005